(57)【特許請求の範囲】
【請求項１】
構造物の屋外側と屋内側とを連通する開口部の幅方向において対向して配設された一対の枠部材と当接した状態で床面に配設される補強板と、
前記補強板の屋外側面を覆うシートと、
前記シートが前記補強板の前記屋外側面における鉛直方向下端部を覆い、かつ、前記シートの鉛直方向下端部が前記床面に沿って前記屋外側に向けて延在するように前記シートを保持する保持部材と、
を備え、
前記補強板は、前記幅方向において、複数の板状の部材を連結して構成され、
前記シートは、少なくとも前記補強板と前記床面との間を閉塞して止水する、
ことを特徴とする開口部の止水装置。
【請求項２】
前記シートは、前記補強板の前記屋外側面の全面を覆う、
請求項１に記載の開口部の止水装置。
【請求項３】
前記補強板の屋内側面に配設され、前記補強板の高さ方向に延在する縦止水ゴム、
を備え、
前記補強板は、前記屋内側面が前記枠部材の屋外側面に対向して配設され、
前記縦止水ゴムは、前記枠部材の前記屋外側面に押圧されて前記補強板と前記枠部材との間を閉塞して止水する、
請求項１または２に記載の開口部の止水装置。
【請求項４】
前記補強板は、一対の前記枠部材における対向面間を押し広げる方向に押圧して前記対向面間に配設され、
前記シートの鉛直方向下端部は、前記補強板の前記屋外側面における前記鉛直方向下端部と前記枠部材のうち前記補強板の前記屋外側面における前記鉛直方向下端部に隣接する部分とを一体に覆い、前記補強板と前記枠部材との間を閉塞して止水する、
請求項１または２に記載の開口部の止水装置。
【発明の詳細な説明】
【技術分野】
【０００１】
本発明は、開口部の止水装置に関する。
【背景技術】
【０００２】
従来の開口部の止水装置として、例えば、特許文献１には、左右に開放面を対向させて並列する溝形のレール材と、この各レール材の下端を連結する接地板と、レール材内に両端縁を嵌入して落し込む止水板（補強板）と、この止水板と接地板との対向面一方と、止水板とレール材との対向面一方にそれぞれ配設されたパッキング材を備えた技術が開示されている。この技術は、第１加圧装置および第２加圧装置によりパッキング材を圧縮して接地板と止水板の下縁との間の水漏れおよびレール材と止水板の端縁との間の水漏れを防止するものである。
【先行技術文献】
【特許文献】
【０００３】
【特許文献１】特開２００１−３２９７５９号公報
【発明の概要】
【発明が解決しようとする課題】
【０００４】
上述の特許文献１に記載の技術において、止水板は、レール材間の幅と同等の幅を有する大型のものとなる。また、止水板は、浸水時に止水板に作用する浮力に抗することができる質量や密度を有する必要があるため重量を有するものとなる。そこで、止水板は、運搬時や収納時の取り扱いを容易にするため、複数の部材に分割して構成し、使用時に組み立てて使用することが望まれる。ところが、止水板を複数の部材に分割して構成した場合、部材同士の接合部には、例えばパッキンなどの止水部材を配設して止水性を確保する必要がある。このため、止水板は、構成が複雑になる。また、止水板は、定期的に止水部材を点検、交換するなどメンテナンスに多大な手間と時間とを要する。
【０００５】
本発明は、上記の事情に鑑みてなされたものであって、簡易な構成で、メンテナンスが容易な開口部の止水装置を提供することを目的とする。
【課題を解決するための手段】
【０００６】
上記目的を達成するために、本発明に係る開口部の止水装置は、構造物の屋外側と屋内側とを連通する開口部の幅方向において対向して配設された一対の枠部材と当接した状態で床面に配設される補強板と、前記補強板の屋外側面を覆うシートと、前記シートが前記補強板の前記屋外側面における鉛直方向下端部を覆い、かつ、前記シートの鉛直方向下端部が前記床面に沿って前記屋外側に向けて延在するように前記シートを保持する保持部材と、を備え、前記補強板は、前記幅方向において、複数の板状の部材を連結して構成され、前記シートは、少なくとも前記補強板と前記床面との間を閉塞して止水する、ことを特徴とする。
【０００７】
また、上記開口部の止水装置では、前記シートは、前記補強板の前記屋外側面の全面を覆う、ものとすることができる。
【０００８】
また、上記開口部の止水装置では、前記補強板の屋内側面に配設され、前記補強板の高さ方向に延在する縦止水ゴム、を備え、前記補強板は、前記屋内側面が前記枠部材の屋外側面に対向して配設され、前記縦止水ゴムは、前記枠部材の前記屋外側面に押圧されて前記補強板と前記枠部材との間を閉塞して止水する、ものとすることができる。
【０００９】
また、上記開口部の止水装置では、前記補強板は、一対の前記枠部材における対向面間を押し広げる方向に押圧して前記対向面間に配設され、前記シートの鉛直方向下端部は、前記補強板の前記屋外側面における前記鉛直方向下端部と前記枠部材のうち前記補強板の前記屋外側面における前記鉛直方向下端部に隣接する部分とを一体に覆い、前記補強板と前記枠部材との間を閉塞して止水する、ものとすることができる。
【発明の効果】
【００１０】
本発明に係る開口部の止水装置は、構成が簡素化され、メンテナンスが容易化される、という効果を奏する。
【図面の簡単な説明】
【００１１】
【図１】図１は、実施形態１に係る開口部の止水装置の概略構成を表す平面図である。
【図２】図２は、図１に示された開口部の止水装置を表す斜視図である。
【図３】図３は、図１に示された開口部の止水装置の補強板を表す背面図である。
【図４】図４は、図１に示された開口部の止水装置を表すＡ−Ａ断面図である。
【図５】図５は、実施形態２に係る開口部の止水装置を表す斜視図である。
【図６】図６は、変形例に係る開口部の止水装置を表す斜視図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態１］
図１は、実施形態１に係る開口部の止水装置の概略構成を表す平面図である。図１および図２に示す実施形態の開口部の止水装置１は、開口部Ｏから構造物Ｓの内部に水が浸入することを防止するものである。開口部Ｏは、構造物Ｓの壁部Ｗなどに形成され、構造物Ｓの一方の空間側（例えば、屋外側）と他方の空間側（例えば、屋内側）とを連通するように形成される。本実施形態において、開口部Ｏの周囲の壁部Ｗに後述する枠体２が配設されているものを例示するが、これに限らず、開口部Ｏは、構造物Ｓの内部を仕切る壁部に形成されたものであってもよい。なお、防止とは、阻止や抑制などの意味を含むものとする。
【００１４】
このような構造物Ｓの開口部Ｏには、開閉体としてシャッターや開閉扉が設置されていることが多い。例えば、地下駐車場の入口や、店舗の入口等にもシャッターや開閉扉が設置されていることが多い。シャッターは、隙間が多い構造であるため、ゲリラ豪雨や洪水時のように想定以上の降水量となるとシャッターの隙間を介して浸水して施設が被害に遭う可能性がある。また、開閉扉は、扉間および各扉と開口部との間に隙間があるため、同様に施設が被害に遭う可能性がある。
【００１５】
図１ないし図３に示す実施形態の開口部の止水装置１は、ビル，家屋，倉庫等の構造物を含む構造物Ｓに形成された開口部Ｏを通して構造物Ｓの内部に水が浸入することを防止するものである。以下の説明では、開口部Ｏにおいて構造物Ｓの内部に水が浸入することを防止するべき部分を「所定部」と称する。所定部は、開口部Ｏの鉛直方向下端部である。この所定部の床面Ｆからの鉛直方向の高さをＨとする。なお、本発明でいう床面Ｆとは、説明上分かりやすくするための便宜上の表現であって、通常の床面Ｆのみならず、コンクリート面や地面等の開口部Ｏの下方に位置する面を総称する。
【００１６】
なお、以下の説明では、図１に示すＸ方向は、上流側（屋外側）から下流側（屋内側）に向かう「奥行方向」である。また、図１に示すＹ方向は、水平方向に沿った方向であって後述する枠体２の一対の縦枠部材（枠部材、縦方立）２１が向かい合う「扉幅方向（幅方向）」である。また、図２に示すＺ方向は、枠体２の一対の縦枠部材２１が延在する「上下方向（鉛直方向）」である。ここで、屋内側とは、水の浸入を防止、すなわち、水の浸入を阻止や抑制したい側であり、屋外側とは、浸入可能性のある水が流れてくる側のことである。なお、屋外側や屋内側とは、水が浸入する可能性がある場合の上流側や下流側を意味する便宜上の文言である。本発明は、例えば廊下等の通路のような家屋や部屋等の概念が必ずしも明確にならない場所に設置された扉に対しても適用できる。
【００１７】
枠体２は、図１に示すように、開口部Ｏの周囲の壁部Ｗより厚く、防錆性を有する金属材で構成されている。枠体２は、図２に示すように、開口部Ｏの周囲を囲むように構造物Ｓに固定的に設置されている。枠体２は、左右一対の縦枠部材２１と、上枠部材（不図示）と、下枠部材（幅木）２２とを含んで構成される。一対の縦枠部材２１と上枠部材と下枠部材２２は、それぞれ板状の金属材により中空状の断面形状に形成されている。
【００１８】
縦枠部材２１は、開口部Ｏの扉幅方向の両端部に対向して一対が配設され、上下方向に延在している。一対の縦枠部材２１は、図１および図２に示すように、後述する開閉扉３よりも屋外側に配設されている。一対の縦枠部材２１は、扉幅方向において開口部Ｏの空間部分を挟んで対向する対向面２１ａを有している。上枠部材は、開口部Ｏの上側に配設されている。下枠部材２２は、開口部Ｏと隣接する壁部Ｗの下側において床面Ｆの上方に配設されている。上枠部材および下枠部材２２は、扉幅方向に延在している。一対の縦枠部材２１の上端部と上枠部材の両端部とは、開口部Ｏの内面側にて連結されている。また、一対の縦枠部材２１の下端部と下枠部材２２の一端部とは、連結されている。このように構成される枠体２は、全体として開口部Ｏに対応した形状を成す。
【００１９】
開閉扉３は、図１および図２に示すように、枠体２の屋内側に配設され、扉幅方向にスライド可能に支持された両開き式の一対の扉３１を有する。開閉扉３は、扉３１が開口部Ｏを閉塞させる閉塞位置と、開口部Ｏを開放させる開放位置とに亘って枠体２に対して扉幅方向にスライドすることで、開口部Ｏを開放あるいは閉塞する。具体的に、開閉扉３は、一対の扉３１が互いに近付いて開口部Ｏを閉塞し、一対の扉３１が互いに離間して開口部Ｏを開放する。このような扉３１の移動は、手動でなされても、モータ等の駆動装置によって自動でなされてもよい。また、開閉扉３が後述する補強板４と接触しないため、開閉扉３は、補強板４を開口部Ｏに設置した状態で開閉可能である。
【００２０】
扉３１は、ガイドレール（不図示）によって案内される。ガイドレールは、開口部Ｏの上下両端に配設され、壁部Ｗの表面と平行である。扉３１の上下方向両端部は、それぞれガイドレールの溝部に挿入されている。溝部は、開閉方向、すなわち、扉幅方向に延在しており、扉３１を扉幅方向にスライド自在に案内する。図１に示すように、扉３１の扉幅方向の両端には、扉３１より厚い扉側縦方立３１ａが配設されている。また、図２に示すように、扉３１の下端部には、扉３１より厚い扉側幅木３１ｂが配設されている。扉側縦方立３１ａの厚みは、扉側幅木３１ｂの厚みと等しい。
【００２１】
補強板４は、一対の縦枠部材２１の屋外側面２１ｂと当接した状態で屋外側の床面Ｆに配設される。補強板４は、防錆性を有する板状の金属材を加工してパネル状に形成されている。補強板４は、図１ないし図３に示すように、開口部Ｏの所定部を閉塞することが可能な幅および高さを有する。この補強板４は、人が跨ぐことで開閉扉３を介して構造物Ｓの出入りが可能である。具体的に、補強板４は、幅Ｌ１が開口部Ｏの幅Ｌより大きく形成されているとともに、設置時の鉛直方向の高さＨ１が所定部の高さＨより大きく形成されている。また、補強板４の高さＨ１は、要求性能によっては開口部Ｏに設置されたシート６の上端より低い（もしくは所定部の高さＨより低い）ものであってもよく、この場合、開口部の止水装置１は、高さＨ１と同等までの水位に対応できる。補強板４の高さＨ１は、人が跨げる程度であることが望ましく、例えば、１６（建築基準法施行令に定められた小学校の児童の階段の蹴上げ寸法の上限）ｃｍから３８（ＪＩＳ（日本工業規格）  Ｓ  １０２１における身長１５０ｃｍの人の教室用椅子４号の座面の高さ）ｃｍ程度であるのが望ましい。また、補強板４の高さＨ１は、止水高さの要求性能次第では椅子などを台にして跨ぐことを前提に１ｍ程度まででもよく、脚立などを使って渡ることを前提に１．５ｍ程度まででもよい。
【００２２】
補強板４は、扉幅方向において、複数の板状の部材を連結して構成されている。本実施形態において、補強板４は、第１補強板４１と、第１補強板４１が進退自在に挿入可能な第２補強板４２とで構成されている。また、補強板４は、第１補強板４１を第２補強板４２に挿入して補強板４を所望の幅とした状態で固定するストッパを含む固定手段（不図示）を有する。固定手段は、補強板４の幅を数ｍｍ間隔で固定するものであっても、無段階で固定するものであってもよい。
【００２３】
第１補強板４１は、ステンレスを含む磁石が吸着し、防錆性を有する軽量の金属板を断面形状がコの字型に加工して骨材とし、４つの骨材を組み合わせた四角形のフレームを有する。このフレームの正面および背面の開口部がアルミを含む防錆性を有する軽量の金属板で形成された四角形のパネルでそれぞれ閉塞されて、第１補強板４１は、形成される。この四角形のパネルで閉塞された面は、第１補強板４１における屋内側面４１ａと屋外側面４１ｂになる。第１補強板４１は、フレームとパネルとで囲われた内部の空間に充填剤が充填されている。第１補強板４１は、その幅が幅Ｌ１より小さい。また、第１補強板４１は、屋内側面４１ａの扉幅方向の一端部に後述する縦止水ゴム（第１止水ゴム）５が配設されている。この第１補強板４１は、扉幅方向の他端部が第２補強板４２内に扉幅方向に進退自在に収容可能である。また、第１補強板４１は、第２補強板４２から進出させて引き抜くことで、第２補強板４２と分離することができる。
【００２４】
第２補強板４２は、ステンレスを含む磁石が吸着し、防錆性を有する軽量の金属板を断面形状がコの字型に加工して骨材とし、４つの骨材を組み合わせた四角形のフレームを有する。このフレームの正面および背面の開口部がアルミを含む防錆性を有する軽量の金属板で形成された四角形のパネルでそれぞれ閉塞されて、第２補強板４２は、形成される。この四角形のパネルで閉塞された面は、第２補強板４２における屋内側面４２ａと屋外側面４２ｂになる。第２補強板４２は、フレームとパネルとで囲われた内部の空間に第１補強板４１が扉幅方向に進退自在に挿入可能である。第２補強板４２は、その幅が幅Ｌ１より小さい。また、第２補強板４２の幅は、第１補強板４１の幅と同等である。第２補強板４２の高さは、第１補強板４１の高さより大きい。第２補強板４２の奥行方向の厚さは、第１補強板４１の奥行方向の厚さより大きい。また、第２補強板４２は、屋内側面４２ａの扉幅方向の他端部に後述する縦止水ゴム５が配設されている。
【００２５】
脚部４３と台座４４とは、後述する脚部４５と台座４６と対を成して補強板４を床面Ｆに垂直に立設させるものである。脚部４３は、平板材で略矩形状に形成されている。脚部４３は、第１補強板４１の扉幅方向の一端面４１ｃから奥行方向における屋外側に延設されている。台座４４は、脚部４３の奥行方向における屋外側から下方に延設されている。
【００２６】
脚部４５と台座４６とは、脚部４３と台座４４と対を成して補強板４を床面Ｆに垂直に立設させるものである。脚部４５は、平板材で略矩形状に形成されている。脚部４６は、第２補強板４２の扉幅方向の他端面４２ｃから奥行方向における屋外側に延設されている。台座４６は、脚部４５の奥行方向における屋外側から下方に延設されている。
【００２７】
このような構成の補強板４は、第１補強板４１を第２補強板４２に対して進退させることで、その幅Ｌ１が調節自在である。本実施形態において、補強板４は、第１補強板４１を第２補強板４２に対して扉幅方向に半分程挿入した状態で開口部Ｏに設置している。また、第１補強板４１と第２補強板４２とが重なり合った二重部分を重ね合せ部４ａという。重ね合せ部４ａは、補強板４の要求性能に応じて幅Ｌ１に対する比率を設定すればよい。本実施形態において、重ね合せ部４ａは、幅Ｌ１に対して３分の１程度の幅である。補強板４は、重ね合せ部４ａを有することで剛性が高くなっている。このため、補強板４は、屋外側の浸水時に屋外側から補強板４に作用する水圧によって屋内側に撓むことが許容されている。
【００２８】
縦止水ゴム５は、第１補強板４１の屋内側面４１ａの扉幅方向の一端部と、第２補強板４２の屋内側面４２ａの扉幅方向の他端部に配設されている。縦止水ゴム５は、第１補強板４１および第２補強板４２の短手方向（高さ方向）全長に亘って配設されている。本実施形態において、縦止水ゴム５は、水が浸入することを効果的に抑制するため、第１補強板４１および第２補強板４２の底面まで延在している。なお、使用上の問題がなければ、縦止水ゴム５は、第１補強板４１および第２補強板４２の底面まで延在していなくてもよい。第１補強板４１および第２補強板４２に配設された縦止水ゴム５は、一対を成す。縦止水ゴム５は、図４に示すように、補強板４が開口部Ｏに設置された状態で、補強板４と縦枠部材２１との間に介在する。また、縦止水ゴム５は、補強板４が開口部Ｏに設置された状態で、第１補強板４１および第２補強板４２の底面と床面Ｆとの間に介在する。屋外側が浸水して補強板４に対して屋外側から屋内側へ水圧が作用すると、縦止水ゴム５は、縦枠部材２１に押圧されて弾性変形する。このため、一対の縦止水ゴム５は、一対の縦枠部材２１に密着する。このため、一対の縦止水ゴム５は、補強板４と一対の縦枠部材２１の当接部との間を閉塞して水が流れることを抑制する。すなわち、一対の縦止水ゴム５は、一対の縦枠部材２１において屋外側から屋内側に水が浸入することを抑制する。
【００２９】
シート６は、少なくとも補強板４と床面Ｆとの間を閉塞して止水するものである。シート６は、第１補強板４１の屋外側面４１ｂおよび第２補強板４２の屋外側面４２ｂにおける鉛直方向下端部を覆うものである。本実施形態において、シート６は、第１補強板４１の屋外側面４１ｂおよび第２補強板４２の屋外側面４２ｂにおいて屋外側に露出している全面を覆う。シート６は、補強板４の重ね合せ部４ａにおける第１補強板４１と第２補強板４２との間の隙間を閉塞し、適切に止水する。また、シート６は、その鉛直方向下端部が床面Ｆに沿って屋外側に向けて延在するように保持されるものである。
【００３０】
なお、本明細書では、シート６の鉛直方向上側であって、シート６が後述する押圧部材７と第１マグネット８と第２マグネット９とによって構成される保持部材によって保持された状態で補強板４に沿って延在する部分を、以下「シート上部６ｂ」と記載する。また、本明細書では、シート６の鉛直方向下側（鉛直方向下端部）であって、シート６が保持部材によって保持された状態で床面Ｆに沿って延在する部分を、以下「シート下部６ｃ」と記載する。
【００３１】
シート６は、遮水性を有しており、開口部Ｏの防水シートとして機能することができる。また、シート６は、可撓性を有しており、伸縮可能であってもよい。シート６の素材は、例えば、樹脂、ゴム、表面を樹脂などでコーティングした布とすることができる。シート６は、水圧によって追従して変形可能な素材で構成されることが好ましい。シート６の形状は、例えば、矩形である。
【００３２】
シート６の幅は、開口部Ｏに設置した補強板４の幅以上の幅を有する。本実施形態において、シート６の幅は、開口部Ｏに設置した補強板４の幅より大きい。このため、シート６は、補強板４の幅に合わせて折り畳み部６ａにおいて折り畳まれた状態で、補強板４に設置される。なお、シート６の幅が、開口部Ｏに設置した補強板４と同幅である場合、シート６は、折り畳まれず、シワや弛みが伸ばされて適度に張った状態で補強板４に設置される。
【００３３】
シート６の高さは、対応すべき水深、すなわち、所定部の高さＨに基づいて定められている。すなわち、シート６の高さは、補強板４の下端から鉛直方向上側に向けてどの範囲をシート６によって覆い防水するかに基づいて定められている。より詳しくは、シート６の高さは、開口部Ｏの所定部の高さＨより大きく、以下に示すような長さに設定している。すなわち、シート６が第１マグネット８によって保持された状態で、シート下部６ｃを床面Ｆ上に垂らし、床面Ｆに沿わせることが可能である。シート６は、このシート下部６ｃを床面Ｆに沿って屋外側に向けて延在された状態で設置される。言い換えると、シート６は、シート下部６ｃに設けられた床面Ｆと対向し、かつシート下部６ｃが先端側へ向かうに従い補強板４から離間するように配置される。
【００３４】
押圧部材７は、シート６を床面Ｆと、第１補強板４１の屋外側面４１ｂおよび第２補強板４２の屋外側面４２ｂとに向けて押圧するものである。押圧部材７は、図１および図２に示すように、シート下部６ｃ上の開口部Ｏの扉幅方向に沿って連続的に配置される。押圧部材７は、隙間無く配置されても、隣接する押圧部材７間に所定の隙間を設けて配置されてもよい。押圧部材７は、棒状あるいは板状であることが好ましい。本実施形態に係る押圧部材７は、板状のフラットバーである。押圧部材７は、例えば、金属製であり、浮力に抗してシート下部６ｃを床面Ｆに向けて押圧することができる質量や密度を有している。押圧部材７は、シート下部６ｃが床面Ｆに沿って配置された後でシート下部６ｃ上に設置される。押圧部材７は、床面Ｆにおけるシート下部６ｃの折り畳み部６ａに該当する位置および／またはシート６が折り畳まれた位置であることが好ましい。より詳しくは、押圧部材７は、開口部Ｏの扉幅方向に沿って連続的に配置されていれば、シート６が折り畳まれた位置に載置されるが、押圧部材７が開口部Ｏの扉幅方向に沿って途切れて配置されている場合であっても、シート６が折り畳まれた位置に載置されていることが好ましい。これにより、押圧部材７は、補強板４の下端部の近傍においてシート６を床面Ｆに密着させておくことができる。押圧部材７は、一本でもよいし、複数に分割されていても結果として開口部Ｏの扉幅方向に沿って連続的に配置されていてもよい。なお、使用上における止水目的を達成できれば、連続的でなく、若干途切れている箇所があってもよい。
【００３５】
第１マグネット８は、シート６を補強板４よりも屋外側に位置付けて補強板４に対して保持するものである。第１マグネット８は、補強板４に吸着する。また、第１マグネット８は、シート下部６ｃが床面Ｆに沿って屋外側に向けて延在するようにシート６の扉幅方向の両端を保持する。これにより、シート６は、補強板４が重ね合せ部４ａにおいて有する隙間や補強板４と床面Ｆとの隙間を塞ぎ、屋内側への浸水を抑制することができる。図２に示すように、第１マグネット８は、一対設けられ、補強板４に着脱自在である。なお、第１マグネット８は、補強板４に作用する水圧によってシート６が第１マグネット８よりも補強板４側に向けて撓むことを許容する。また、シート６を補強板４に対して効果的に保持するためにシート６を床面Ｆに密着させるように、第１マグネット８は、その下端部が床面Ｆに極力近接させて配設されていることが好ましい。なお、使用上の問題がなければ、第１マグネット８は、その下端部が床面Ｆから離間して配設されていてもよい。第１マグネット８は、このような機能を有するものであればよく、例えば、棒状、板状やシート状など取り扱いが容易な形状とすることが好ましい。また、第１マグネット８は、例えば、弾性材を含む変形自在な材料で構成されていることが好ましい。本実施形態に係る第１マグネット８は、弾性を有するシート状である。
【００３６】
第１マグネット８は、補強板４に取り付けられると、鉛直方向に延在し、開口部Ｏの所定部に対応する範囲に配置される。すなわち、第１マグネット８は、補強板４の下端から所定部の上端までの範囲に対応して配される。なお、本発明では、第１マグネット８は、開口部の止水装置１の防水性能等の使用上の問題がないような実質的な意味で開口部Ｏの所定部に対応していればよく、例えば、第１マグネット８の上端は必ずしも所定部の上端と一致せず、若干下側に位置していてもよい。第１マグネット８は、シート６に一体に形成されてもよい。
【００３７】
第２マグネット９は、シート６を補強板４よりも屋外側に位置付けて補強板４に対して保持するものである。第２マグネット９は、補強板４に吸着する。また、第２マグネット９は、シート６の上端部にシート６の扉幅方向に間隔をあけて取り付けられている。本発明では、第２マグネット９の全て又は一部を吸盤、ピンチ（クリップ）、粘着材、フック、ファスナー、ひも、鋲などの他の保持部材に置き換えてもよく、また、シート６を保持部材（例えば、第２マグネット９等）で補強板４に止着することは、シート６の撓み抑制の必要性に応じて行えばよい。
【００３８】
上記のように構成される開口部の止水装置１の使用方法について説明する。開口部の止水装置１を開口部Ｏに設置する際、作業者は、保管場所から補強板４とシート６と保持部材とを運搬する。
【００３９】
作業者は、開口部Ｏにおける補強板４の設置位置に、屋外側から補強板４を載置する。具体的に、作業者は、第１補強板４１を第２補強板４２内に挿入して、第１補強板４１と第２補強板４２と連結する。そして、作業者は、一対の縦止水ゴム５が一対の縦枠部材２１と当接する位置に合うように、第１補強板４１を第２補強板４２に対して進退させることで補強板４の幅を調節する。そして、作業者は、補強板４の底面を補強板４の設置位置の床面Ｆに垂直に立設させる。また、一対の縦止水ゴム５は、一対の縦枠部材２１と当接している。
【００４０】
そして、作業者は、シート６の一端部を第１補強板４１の屋外側面４１ｂの扉幅方向の一端部に合わせて、シート上部６ｂを補強板４に沿って延在させ、シート下部６ｃを床面Ｆに沿って屋外側に向けて延在させる。作業者は、シート６の一端部を第１マグネット８によって補強板４に保持させる。
【００４１】
そして、作業者は、シート６の一端部が第１マグネット８によって保持された状態で、シート６を扉幅方向に沿って広げていく。作業者は、シート６を広げながら、上記保持された一端部に近いものから順次第２マグネット９を補強板４に吸着させ、シート６を補強板４に仮固定する。
【００４２】
そして、作業者は、シート６の他端部を第２補強板４２の屋外側面４２ｂの扉幅方向の他端部に合わせて、第１マグネット８によって補強板４に保持させる。
【００４３】
シート６の幅が開口部Ｏの幅Ｌ（図２参照）より大きいので、シート６の両端が第１マグネット８によって保持された状態で、シート６は、扉幅方向の中央部において弛みを有している。そして、作業者は、シート６の幅と開口部Ｏの幅Ｌとの寸法差に応じてシート６を折り畳み部６ａにおいて折り畳む。このとき、作業者は、直接補強板４を覆っている部分のシワや弛みを伸ばすように、扉幅方向の中央部に向けてシート６を扉幅方向に引っ張る。折り畳み部６ａは、補強板４の重ね合せ部４ａ上に位置させる。なお、折り畳み部６ａは、第２マグネット９によってその先端（山折り部分）が保持されることが好ましい。なお、余剰部分を２つ折りに折るときには、床面Ｆとシート６との間に隙間が生じることを抑制するために、シート下部６ｃをシート上部６ｂと一緒に折ることが好ましい。本実施形態において、シート下部６ｃは、シート上部６ｂと一緒に折る。
【００４４】
このようにして、シート６は、シワや弛み部分が伸ばされて、適度に張られた状態となる。これにより、補強板４とシート６との間に隙間が生じることや、床面Ｆとシート６との間に隙間が生じることが抑制される。このとき、シート６は、補強板４と床面Ｆとを一体に覆っている。これにより、シート６は、床面Ｆと補強板４との隙間を閉塞して止水する。また、シート６は、補強板４の重ね合せ部４ａにおける第１補強板４１と第２補強板４２との間の隙間を止水する。
【００４５】
そして、作業者は、床面Ｆを覆うシート６のシート下部６ｃの上に押圧部材７を載せる。より詳しくは、作業者は、床面Ｆにおけるシート下部６ｃの折り畳み部６ａに該当する位置および／またはシート６が折り畳まれた位置に押圧部材７を載せる。これにより、水がシート６と床面Ｆとの間に浸入することが抑制される。また、水がシート下部６ｃと床面Ｆとの間に浸入したとしても、シート下部６ｃが床面Ｆから浮き上がることが抑制される。また、水の流れの勢いによってシート下部６ｃの位置がずれてしまうことが抑制される。このように、押圧部材７によって、シート６による止水効果を高められる。また、床面Ｆ上の折り畳み部６ａに押圧部材７が載置されることで、折り畳み部６ａの浮き上がり等が抑制され、シート６の止水効果が高められる。
【００４６】
こうして、開口部の止水装置１は、シート６が補強板４と床面Ｆとを一体に覆いかつシート下部６ｃが床面Ｆに沿って屋外側に向けて延在した状態で、押圧部材７によりシート６を床面Ｆ、補強板４に向けて押圧する。こうして、開口部の止水装置１が開口部Ｏに設置される。
【００４７】
屋外側の浸水時に補強板４に水圧が作用すると、補強板４が縦枠部材２１側に押圧されて、縦止水ゴム５は、弾性変形して縦枠部材２１に密着する。また、シート６に作用する水圧により、シート上部６ｂは、補強板４に押圧されて密着し、シート下部６ｃは、床面Ｆに押圧されて密着する。このように、開口部の止水装置１は高い止水性が得られる。
【００４８】
つぎに、開口部Ｏに設置された開口部の止水装置１を取り外す際、作業者は、押圧部材７と第１マグネット８と第２マグネット９とを取り外す。そして、作業者は、シート６を補強板４から取り外す。そして、作業者は、補強板４を開口部Ｏから取り外す。そして、作業者は、第１補強板４１を第２補強板４２から進出させて引き抜いて、第１補強板４１と第２補強板４２と分離する。そして、作業者は、第１補強板４１と第２補強板４２とを別々に保管場所まで運搬する。また、作業者は、シート６と保持部材とを保管場所まで運搬する。そして、作業者は、第１補強板４１を第２補強板４２内に後退させて収納して補強板４を短縮してから保管場所に収納する。このようにして、開口部Ｏに設置された補強板４は、取り外される。
【００４９】
以上で説明した実施形態に係る開口部の止水装置１によれば、補強板４は、第１補強板４１と第２補強板４２とを連結して、第１補強板４１を第２補強板４２に対して進退させることでその幅を開口部Ｏの幅Ｌに合わせて調節することができる。また、補強板４の重ね合せ部４ａ上には、シート６の折り畳み部６ａが配設されている。このため、開口部の止水装置１は、シート６によって、重ね合せ部４ａにおける第１補強板４１と第２補強板４２との間の隙間を止水することができる。このように、重ね合せ部４ａには、例えばパッキンなどの止水部材を配設する必要がないため、補強板４は、簡易な構成とすることができる。これにより、補強板４は、定期的に止水部材を点検、交換するなどのメンテナンスが不要となる。
【００５０】
また、開口部の止水装置１においては、第１補強板４１を第２補強板４２に対して後退させることで補強板４の幅を短縮して小型化することができる。この第２補強板４２は、第１補強板４１を収納するため、内部の空間に充填剤が充填されていないので軽量化することができる。また、第１補強板４１は、第２補強板４２から進出させて引き抜くことで、第２補強板４２と分離することができる。このため、分割した第１補強板４１と第２補強板４２は、それぞれ小型化、軽量化することができる。このように、開口部の止水装置１は、補強板４が小型化、軽量化されているので、運搬時や収納時の取り扱いを容易にすることができる。
【００５１】
また、開口部の止水装置１においては、補強板４は、第１補強板４１を第２補強板４２に対して進退させることでその幅Ｌ１が調節自在である。このため、補強板４は、種々の開口部Ｏに設置可能である。
【００５２】
また、開口部の止水装置１においては、補強板４は、重ね合せ部４ａを有することで高い剛性を得ることができる。このため、開口部の止水装置１は、屋外側の浸水時に屋外側から補強板４に作用する水圧によって補強板４が屋内側に撓むことを抑制することができる。
【００５３】
また、開口部の止水装置１においては、開口部Ｏへの補強板４の設置時に、縦止水ゴム５が補強板４と一対の縦枠部材２１との間に介在し、シート６のシート下部６ｃが床面Ｆとの間に延設する。そして、一対の縦止水ゴム５は、一対の縦枠部材２１に押圧されて弾性変形して密着し、シート下部６ｃは、床面Ｆに押圧されて密着する。このように、開口部の止水装置１は、縦止水ゴム５によって補強板４と一対の縦枠部材２１の当接部の間を水が流れることを抑制することができる。また、開口部の止水装置１は、シート下部６ｃによって補強板４と床面Ｆの間を水が流れることを抑制することができる。このように、開口部の止水装置１は、屋外側から屋内側に水が浸入することを防止できる。
【００５４】
より詳しくは、洪水やゲリラ豪雨等によって屋外側の水嵩が増すと、まずシート下部６ｃが水に接する。シート下部６ｃは、水圧によって床面Ｆに向けて押圧されて、シート下部６ｃが床面Ｆに密着する。これにより、シート下部６ｃは、床面Ｆとの間から水が浸入することを抑制することができる。また、押圧部材７によってシート下部６ｃが床面Ｆに向けて押圧されていることで、シート下部６ｃは、低水位の場合であっても床面Ｆとの隙間を介した浸水をより確実に抑制することができる。また、押圧部材７は、水流等によってシート下部６ｃが浮き上がることを抑制することが可能である。このようにシート６は、水圧によって所定部と、所定部に隣接する床面Ｆとを一体に覆うことができる。
【００５５】
また、シート６は、水圧によって補強板４に対して押圧される。このため、シート６は、水位が増加するにともなって補強板４に対する密着性が増し、また隙間を閉塞する閉塞性が増す。これにより、シート６は、シート６と補強板４との間および補強板４の重ね合せ部４ａにおける第１補強板４１と第２補強板４２との間の隙間に水が浸入することを抑制することができる。このように、シート６は、水位に応じて遮水性が増し、適切に屋内側への浸水を抑制することができる。
【００５６】
また、このような構成の開口部の止水装置１においては、止水性を確保するために、定期的に縦止水ゴム５およびシート６を定期的に点検、交換するなどのメンテナンスを実施すればよく、メンテナンスに要する手間と時間とコストとを削減することができる。
【００５７】
また、開口部の止水装置１においては、開口部Ｏへの補強板４の設置時に、補強板４を縦枠部材２１に当接させた状態で、床面Ｆに載置するだけで、補強板４は、開口部Ｏに容易に設置される。このように、開口部の止水装置１は、補強板４の設置、取り外しに工具を必要とせず、誰でも短時間で容易に設置、取り外しができる。また、補強板４を開口部Ｏに設置する際に、保持手段がなくてよいため、簡易な構造とすることができる。
【００５８】
また、開口部の止水装置１においては、シート６を保持部材によって補強板４に保持することができるので、工具を必要とせず、誰でも短時間で容易に設置、取り外しができる。また、シート６は、簡易な構造とすることができる。
【００５９】
また、開口部の止水装置１においては、補強板４が一対の縦枠部材２１に立て掛けられていて開閉扉３と接触していないため、開閉扉３の開閉状態に関わらずシート６に作用する水圧を補強板４が支えることができる。すなわち、開口部の止水装置１は、開口部Ｏの中央部を通して構造物Ｓに出入りすることができる。このために、開口部の止水装置１は、開口部Ｏに設置した状態であっても、図１に示すように、開口部Ｏを開閉して構造物Ｓに出入りすることができる。
【００６０】
また、開口部の止水装置１は、補強板４が構造物Ｓに固定的に配設された縦枠部材２１の全面で支持されるように立て掛けられているので、水圧を分散して支持することができる。このため、開口部の止水装置１は、簡易な構成でも水圧に耐え得る強度を有するので、設置後に補強板４が倒れることを抑制して開口部Ｏからの浸水を抑制することができる。開口部の止水装置１は、補強板４の高さＨ１は、１６ｃｍから３８ｃｍであるので、開口部Ｏへの設置後に、開口部Ｏから出入りすることを確実に可能とすることができる。
【００６１】
しかも、開口部の止水装置１は、既存の構造物Ｓに改修工事を必要としない。そのため、開口部の止水装置１は、既設の構造物Ｓを含む様々な構造物Ｓに適用することができる。
【００６２】
［実施形態２］
図５を参照して、実施形態２について説明する。なお、実施形態１と同一部分には、同一符号を付して説明を省略する。実施形態２に係る開口部の止水装置１００は、補強板１１０の設置位置が実施形態１の補強板４の設置位置と異なる。
【００６３】
補強板１１０は、一対の縦枠部材２１における対向面２１ａ間を押し広げる方向に押圧して、一対の縦枠部材２１の対向面２１ａ間に配設される。補強板１１０は、扉幅方向において、複数の板状の部材を連結して構成されている。本実施形態において、補強板１１０は、第１補強板１１１と、第１補強板１１１が進退自在に挿入可能な第２補強板１１２とで構成されている。第１補強板１１１と第２補強板１１２は、実施形態１の第１補強板４１と第２補強板４２と同様に構成されている。さらに、第２補強板１１２の内側には、第１補強板１１１を第２補強板１１２に挿入した状態で、常時、第１補強板１１１を後退させる方向、すなわち、補強板１１０の幅を広げる方向に付勢する付勢手段（不図示）を有する。この付勢手段の付勢力は、補強板１１０を開口部Ｏに設置した際に補強板１１０に作用する水圧に抗することができるものである。
【００６４】
シート１２０は、扉幅方向において、一対の縦枠部材２１の屋外側面２１ｂ側に延在する。すなわち、シート１２０は、開閉部Ｏの所定部と、構造物Ｓのうち所定部に隣接する部分である一対の縦枠部材２１を一体に覆うものである。すなわち、シート１２０は、補強板１１０および一対の縦枠部材２１に保持された状態で開口部Ｏの幅Ｌより大きく、一対の縦枠部材２１まで張り出している。本実施形態において、シート１２０は、第１補強板１１１の屋外側面１１１ｂおよび第２補強板１１２の屋外側面１１２ｂにおいて屋外側に露出している全面を覆う。シート下部１２０ｃは、補強板１１０の屋外側面１１１ｂにおける鉛直方向下端部と一対の縦枠部材２１のうち補強板１１０の屋外側面１１１ｂにおける鉛直方向下端部に隣接する部分とを一体に覆う。シート１２０は、床面Ｆと補強板１１０との隙間を閉塞して止水し、かつ、補強板１１０と一対の縦枠部材２１との間を閉塞して止水するように補強板１１０および一対の縦枠部材２１に保持される。このようなシート１２０は、実施形態１のシート６と同様の素材で構成され、同様の形状に形成されている。
【００６５】
押圧部材７は、実施形態１の押圧部材７と同様に構成されている。なお、本実施形態において、押圧部材７は、シート１２０を床面Ｆと、第１補強板１１１の屋外側面１１１ｂおよび第２補強板１１２の屋外側面１１２ｂと、一対の縦枠部材２１とに向けて押圧するものである。
【００６６】
第１マグネット８は、実施形態１の第１マグネット８と同様に構成されている。なお、本実施形態において、第１マグネット８は、一対の縦枠部材２１に着脱自在である。第１マグネット８は、開口部Ｏの所定部と、構造物Ｓのうち所定部に隣接する部分である一対の縦枠部材２１とを一体に覆うことで開口部Ｏの所定部を閉塞させるようにシート１２０を保持するものである。
【００６７】
以上で説明した実施形態に係る開口部の止水装置１００によれば、実施形態１と同様に、補強板１１０は、簡易な構成とすることができる。
【００６８】
また、開口部の止水装置１００においては、実施形態１と同様に、補強板１１０が小型化、軽量化されているので、運搬時や収納時の取り扱いを容易にすることができる。
【００６９】
また、開口部の止水装置１００においては、シート１２０が、床面Ｆと補強板１１０と一対の縦枠部材２１とを一体に覆っている。したがって、シート１２０は、床面Ｆと補強板１１０との隙間および一対の縦枠部材２１と補強板１１０との隙間を閉塞して止水することが可能である。これらにより、シート１２０は、補強板１１０が重ね合せ部１１０ａにおいて有する隙間や補強板１１０と一対の縦枠部材２１との隙間を塞ぎ、屋内側への浸水を抑制することができる。すなわち、開口部の止水装置１００においては、止水ゴムを有していないため、止水性を確保するために、定期的にシート１２０のみを定期的に点検、交換するなどのメンテナンスを実施すればよく、メンテナンスに要する手間と時間とコストとを大幅に削減することができる。
【００７０】
上記実施形態においては、開口部の止水装置１，１００を開閉扉３が配設される開口部Ｏに設置するものとして説明したが、開閉扉３は補強板４，１１０と接触しないため、開閉扉３が配設されない開口部Ｏであっても開口部の止水装置１，１００を適用することができる。
【００７１】
また、上記実施形態において、補強板４，１１０の設置時における開閉扉３の開閉が要求されない場合は、補強板４，１１０が開閉扉３と接触するように配設してもよい。例えば、補強板４，１１０の扉幅方向の中央部を、開閉扉３と接触させた状態で設置する。これにより、屋外側の浸水時に補強板４，１１０に作用する水圧は、開閉扉３によっても支持される。このため、補強板４，１１０に要求される強度を低減することができる。
【００７２】
また、上記実施形態において、第１補強板４１，１１１を第２補強板４２，１１２内に進退自在に挿入可能であるものとして説明したが、第１補強板４１，１１１と第２補強板４２，１１２とは、例えば、ネジなどの締結部材を含む連結部材を介して連結して組み立ててもよい。
【００７３】
また、上記実施形態において説明したシート６，１２０は、開口部Ｏの所定部の高さＨがゼロである場合、補強板４，１１０と床面Ｆとの間のみを閉塞して止水すればよい。すなわち、補強板４，１１０の屋外側面の下端から床面Ｆに沿って屋外側に向けて延在するように保持されていればよい。
【００７４】
また、上記実施形態１において、縦止水ゴム５は、短手方向（高さ方向）全長に亘って配設されているものとして説明したが、これに限定されるものではない。例えば、開口部の止水装置１が適用される場所の所定部の高さＨより高くなればよい。すなわち、縦止水ゴム５は、補強板４の底面から所定部の高さＨ＋αの高さまで配設されていればよい。
【００７５】
さらに、上記実施形態１において説明した開口部の止水装置１に、図６に示すように、補強板４の重ね合せ部４ａとシート６の折り畳み部６ａとを上方から覆う補強カバー１４０を設けて開口部の止水装置１３０としてもよい。これにより、補強板４は、補強カバー１４０によって剛性を高めることができる。また、シート６の折り畳み部６ａは、補強カバー１４０によって挟持されることで位置ずれを抑制することができる。
【００７６】
なお、上述した本発明の実施形態に係る開口部の止水装置１，１００は、上述した実施形態に限定されず、特許請求の範囲に記載された範囲で種々の変更が可能である。本実施形態に係る開口部の止水装置１，１００は、以上で説明した各実施形態の構成要素を適宜組み合わせることで構成してもよい。
【符号の説明】
【００７７】
１  開口部の止水装置
２  枠体
２１  縦枠部材（縦方立）
２２  下枠部材
３  開閉体（開閉扉）
３１  扉
４  補強板
４１  第１補強板
４１ｂ  屋外側面
４２  第２補強板
４２ｂ  屋外側面
５  縦止水ゴム（第１止水ゴム）
６  シート
６ｂ  シート上部
６ｃ  シート下部（シートの鉛直方向下端部）
７  押圧部材（保持部材）
８  第１マグネット（保持部材）
９  第２マグネット（保持部材）
Ｓ  構造物
Ｏ  開口部
Ｗ  壁部
Ｆ  床面
Ｈ  所定部の高さ
Ｈ１  補強板の高さ
Ｌ  開口部の幅
Ｌ１  補強板の幅
【図１】
0006479565.tif 000002
【図２】
0006479565.tif 000003
【図３】
0006479565.tif 000004
【図４】
0006479565.tif 000005
【図５】
0006479565.tif 000006
【図６】
0006479565.tif 000007